(57)【要約】【課題】既製のベルト用バックルに所望の装飾を施した装飾用バックルを簡単に取り付け、取り外しが出来る様にする等の課題を解決する。【解決手段】表面に所望の図柄、文字等の装飾を施すと共に、バックル本体の表面に位置して該バックル本体を覆う装飾用バックル本体と、この装飾用バックル本体の裏面に上下に対峙して装備されると共に、少なくとも一方がベルトの伸縮方向に対し直交する方向にスライドしてバックル本体の上下周縁に引っ掛る上下引掛爪とで成したことを特徴した装飾用バックル。【選択図】  図１
0003170236.tif 000002
【実用新案登録請求の範囲】
【請求項１】
表面に所望の図柄、文字等の装飾を施すと共に、バックル本体の表面に位置して該バックル本体を覆う装飾用バックル本体と、この装飾用バックル本体の裏面に上下に対峙して装備されると共に、少なくとも一方がベルトの伸縮方向に対し直交する方向にスライドしてバックル本体の上下周縁に引っ掛る上下引掛爪とで成したことを特徴した装飾用バックル。
【請求項２】
表面に所望の図柄、文字等の装飾を施すと共に、バックル本体の表面に位置して該バックル本体を覆う装飾用バックル本体と、この装飾用バックル本体の裏面に左右に対峙して装備されると共に、少なくとも一方がベルトの伸縮方向に対し平行方向にスライドして前記バックル本体の左右周縁に引っ掛る左右引掛爪とで成したことを特徴した装飾用バックル。 
【請求項３】
前記引掛爪は、相互にゴムシートにて連結されたことを特徴した請求項１又は請求項２に記載の装飾用バックル。     
【請求項４】
前記引掛爪は、相互にスライドすることを特徴とした請求項１又は請求項２に記載の装飾用バックル。
【考案の詳細な説明】
【技術分野】
【０００１】
本考案はベルト用バックルの表面に装着する装飾用バックルに関する。
【背景技術】
【０００２】
近時ベルト用バックルは、その表面にブランド名、その他のデザインを施したものを嗜好し、自己主張する傾向にある。
ところが、これらは、既製のものであって、その後のデザイン等に対し、変更することができず、必要以上のベルトを購入していた。
【考案の概要】
【考案が解決しようとする課題】
【０００３】
既製のベルト用バックルに所望の装飾を施した装飾用バックルを簡単に取り付け、取り外しが出来る様にする。
【課題を解決するための手段】
【０００４】
本考案は、表面に所望の図柄、文字等の装飾を施すと共に、バックル本体の表面に位置して該バックル本体を覆う装飾用バックル本体と、この装飾用バックル本体の裏面に上下に対峙して装備されると共に、少なくとも一方がベルトの伸縮方向に対し直交する方向にスライドしてバックル本体の上下周縁に引っ掛る上下引掛爪とで成したことを特徴したものである。
【０００５】
更に本考案は、表面に所望の図柄、文字等の装飾を施すと共に、バックル本体の表面に位置して該バックル本体を覆う装飾用バックル本体と、この装飾用バックル本体の裏面に左右に対峙して装備されると共に、少なくとも一方がベルトの伸縮方向に対し平行方向にスライドして前記バックル本体の左右周縁に引っ掛る左右引掛爪とで成したことを特徴したものである。
【０００６】
更に本考案は、前記引掛爪は相互にゴムシートにて連結されたことを特徴したものである。
【０００７】
また本考案は、前記引掛爪は相互にスライドすることを特徴とするものである。
【考案の効果】
【０００８】
請求項１により、既製のベルト用バックルがベルトの表面を圧接保持するタイプに対し、所望の装飾を施した装飾用バックル本体に簡単に取り付け、或いは取り外すことができる。
【０００９】
請求項２により、既製のベルト用バックルがベルトの任意の孔にピンが挿入して保持するタイプに対し、所望の装飾を施した装飾用バックル本体に簡単に取り付け、或いは取り外すことができる。
【００１０】
請求項３により、引掛爪は、相互に連結されたゴムシートにて相互にスムーズにスライドするとる共に、常に引張っているから引掛爪がベルト用バックルに堅固に引っ掛かり、且つゴムシートはシート状のため嵩張ることもない。
【００１１】
請求項４により、引掛爪は相互にスライドすることによって、ベルト用バックルの巾に順応して、常にバックルの中心線上に位置することとなり、上下方向に対し、偏ることによってベルト用バックルが食み出すこともない。
【図面の簡単な説明】
【００１２】
【図１】装飾用バックルの正面図
【図２】同上の裏面図
【図３】同上の横断面図
【図４】同上の分解斜視図
【図５】異なる実施例を示す裏面図
【図６】同上の横断面図
【図７】ベルト用バックルの異なる実施例図
【図８】引掛爪の異なる実施例を示す分解斜視図
【図９】装飾用バックルの異なる実施例を示す分解斜視図
【考案を実施するための形態】
【００１３】
以下本考案を実施形態の図面に基づいて説明すと、図１は装飾用バックルの正面図であって、装飾用バックル本体１は表面１ａに図柄、文字等の所望の装飾２を施しており、合成樹脂、金属にて平板状に形成されている。  
而して、この装飾用バックル本体１は裏面１ｂにはベルトＸの伸縮方向Ｙに対し直交する方向Ｚにスライドする上下引掛爪３、４が対峙して装着されており、バックル本体５の上下周縁５ａに引掛る。
【００１４】
この上下引掛爪３、４は台版３ａ、４ａが相互にゴムシート６にて連結されており、装飾用バックル本体１の裏面１ｂに形成された逆Ｌ字型ガイド７の溝８に上下にスライド自在に挿入保持されると共に、ゴムシート６にて相互に内方向に引っ張られ、バックル本体５の上下周縁５ａに堅固に引掛けられる。
【００１５】
勿論、実施例の図面においては、上下引掛爪３、４が共に、スライドすることとなっており、上下引掛爪３、４はベルト用バックル本体５の巾に順応して、常にバックル本体５の中心線上に位置することとなり、上下方向に対し、偏ることのない様にしているが、図９に示す如く、一方引掛爪３を装飾用バックル本体１は裏面１ｂに一体的に立上げ形成し、他方引掛爪４をスライドする様にしてもよい。
【００１６】
更に図５は、ベルト用バックル本体５が図７に示す如く、ベルトＸにピン５ｃが挿入するタイプに対応する異なる実施例であって、装飾用バックル本体１の裏面１ｂに左右引掛爪３、４を形成し、ベルト用バックル本体５の左右周縁５ｂに引掛ける様にしている。
而して、左右引掛爪３、４はピン５ｃに支障がない様にスリット３ｂ、４ｂを形成している。
【００１７】
次に本考案装飾用バックルの使用順序を説明すると、ベルトＸを締め付けた状態において、装飾用バックル本体１の裏面１ｂをバックル本体５に重ねると共に、上下引掛爪３、４をゴムシート６に抗してバックル本体５の上下周縁５ａに引掛けることによって所望の装飾を施した装飾用バックル本体１をバックル本体５に簡単に取り付けることができる。
勿論、身体へのベルトＸを締め付ける前にバックル本体５に取り付けてもよい。
更に装飾用バックル本体１を取り外す場合は、身体からベルトＸを外した後、簡単に取り外すことができる。
【符号の説明】
【００１８】
Ｘ  ベルト
１  装飾用バックル本体
２  装飾
３  引掛爪
４  引掛爪
５  バックル本体
６  ゴムシート
７  逆Ｌ字型ガイド
８  溝
【図１】
0003170236.tif 000003
【図２】
0003170236.tif 000004
【図３】
0003170236.tif 000005
【図４】
0003170236.tif 000006
【図５】
0003170236.tif 000007
【図６】
0003170236.tif 000008
【図７】
0003170236.tif 000009
【図８】
0003170236.tif 000010
【図９】
0003170236.tif 000011